(57)【要約】【課題】  離脱防止用爪を持つ一側コネクタと該コネクタに着脱自在に接続され前記離脱防止用爪が係合される係合部を持つ他側コネクタとを接続する際、前記離脱防止用爪が前記係合部に係合する際に発する振動を検知してコネクタの結合状態を検知できるコネクタ結合検知装置を提供する。【解決手段】一側コネクタと他側コネクタを手に持って接続する際、手又は手を被う手袋の前記コネクタに当接する部位を含む要所にセンサ保持具を取付け、該センサ保持具を介して振動情報を収集可能に振動センサをセンサ保持具に接続して、該振動センサが収集する前記離脱防止用爪が前記係合部に係合する際に発する振動情報を解析するコネクタ結合判定手段を備えた。【選択図】図１
2010199047.tif 000002
【特許請求の範囲】
【請求項１】
一側コネクタ半体に設けられる離脱防止用爪が他側コネクタ半体に形成される係合部に係合されると前記一側コネクタ半体と前記他側コネクタ半体とが電気的に導通状態とされて前記一側コネクタ半体と前記他側コネクタ半体とが離脱できない状態に接続される一方、係合状態の解除により前記一側コネクタ半体と前記他側コネクタ半体とが離脱可能となる通電用コネクタにおいて、
前記一側コネクタ半体と前記他側コネクタ半体とを手に掴んで接続する際、該手の所要位置に取付けられるセンサ保持具を介して取付けられ前記通電用コネクタに当接するようされて前記離脱防止用爪が係合される際に発する振動を検出可能な振動センサと
前記センサから延出されるケーブルを腕や手指に支持させるケーブル支持具と
前記センサとケーブルを介して接続されセンサから送られる振動データを高速フーリエ変換（ＦＦＴ）可能とされるコネクタ結合判定手段とを備えたことを特徴とするコネクタ結合検知装置
【請求項２】
請求項１記載のセンサ保持具が柔軟性を有す振動伝播体から成り一側が前記コネクタを掴む指面に支持され他端が手首又は掌と対向する手指の甲側に支持されて前記コネクタを掴む指面に対向しない部位に前記センサが取付けられようにしたことを特徴とするコネクタ結合検知装置
【請求項３】
請求項１記載の通電用コネクタの離脱防止用爪の他側コネクタ半体との摺接面又は／及び他側コネクタ半体の離脱防止用爪が摺接する面に凹凸部が形成されることを特徴とする通電用コネクタ
【発明の詳細な説明】
【技術分野】
【０００１】  本発明は、電線の先端に連結される離脱防止用爪を持つ一側コネクタ半体と該コネクタ半体に連結・離脱自在に接続され前記離脱防止用爪が係合される係合部を持つ他側コネクタ半体とが接続されて前記係合部に前記離脱防止用爪が係合されたか否かを検知するコネクタ結合検知装置に関し、自動車用ワイヤハーネスの接続や電気機器用ワイヤハーネスの接続等の通電用コネクタ結合検査工程に利用される。
【背景技術】
【０００２】  自動車用ワイヤハーネスのコネクタ結合検知装置が特開平０９−１５３３８６号公報に開示されている。ここでは、コネクタ内に結合検知用端子を備えコネクタの結合不足の場合は結合検知用端子同士の接触を遮断するようにされているので結合検知用端子同士が接触しているか否かは電流を流して通電可否がわかる電気回路を検査ツールとして準備すればコネクタの接続可否検知ができる。
しかしながら、スペース上の制約やコスト上の制約から結合検知用端子を設けることができないコネクタには利用できないという欠点がある。
【特許文献】  （１）特開平０９−１５３３８６号
【発明の開示】
【発明が解決しようとする課題】
【０００３】  本発明は以上のような背景のもとになされたもので、一側コネクタ半体に設けられる離脱防止用爪が他側コネクタ半体に形成される係合部に係合されると前記一側コネクタ半体と前記他側コネクタ半体とが電気的に導通状態とされて前記一側コネクタ半体と前記他側コネクタ半体とが離脱できない状態に接続される一方、係合状態の解除により前記一側コネクタ半体と前記他側コネクタ半体とが離脱可能となる通電用コネクタにおいて、結合検知用端子が無くてもコネクタ半体同士を接続する際に一側コネクタ半体に設けられた離脱防止用爪が他側コネクタ半体に形成された係合部に係合する時に発する振動を検知してコネクタの結合状態を検知できるコネクタ結合検知装置を提供しようとするものである。
【課題を解決するための手段】
【０００４】  本発明の解決しようとする課題は以上の如くであり、次にこの課題を解決するための手段を説明する。【０００５】    請求項１に示すコネクタ結合検知装置は、一側コネクタ半体に設けられる離脱防止用爪が他側コネクタ半体に形成される係合部に係合されると前記一側コネクタ半体と前記他側コネクタ半体とが電気的に導通状態とされて前記一側コネクタ半体と前記他側コネクタ半体とが離脱できない状態に接続される一方、係合状態の解除により前記一側コネクタ半体と前記他側コネクタ半体とが離脱可能となる通電用コネクタにおいて、
前記一側コネクタ半体と前記他側コネクタ半体とを手に掴んで接続する際、該手の所要位置に取付けられるセンサ保持具を介して取付けられ前記通電用コネクタに当接するようされて前記離脱防止用爪が係合される際に発する振動を検出可能な振動センサと
前記センサから延出されるケーブルを腕や手指に支持させるケーブル支持具と
前記センサとケーブルを介して接続されセンサから送られる振動データを高速フーリエ変換（ＦＦＴ）可能とされるコネクタ結合判定手段とを備えたものである。【０００６】  請求項２に示すコネクタ結合検知装置は、請求項１記載のセンサ保持具が柔軟性を有す振動伝播体から成り一側が前記コネクタを掴む指面に支持され他端が手首又は掌と対向する手指の甲側に支持されて前記コネクタを掴む指面に対向しない部位に前記センサが取付けられようにしたものである。【０００７】  請求項３に示す通電用コネクタは、請求項１記載の通電用コネクタの離脱防止用爪の他側コネクタ半体との摺接面又は／及び他側コネクタ半体の離脱防止用爪が摺接する面に凹凸部が形成されることを特徴とするものである。
【発明の効果】
【０００８】  本発明の効果として、以下に示すような効果を奏する。【０００９】  請求項１においては、素手又は素手を覆う手袋の所要位置に振動センサを取付けて、一側コネクタと他側コネクタとを手に掴んで接続する際、該コネクタに振動センサが当接するようにすると共に該振動センサとコネクタ結合判定手段を電気的に接続する構成としたので、一側コネクタ半体と他側コネクタ半体との離脱防止用爪の係合時の振動を振動センサが収集し、振動センサがＡ／Ｄ変換器を介して正常結合振動又は不良結合振動の電気信号をコネクタ結合判定手段に送信され良否判定される。
これにより、結合検知用端子がコネクタに内蔵されていなくても結合の良否状態を判定できる。すなわち、予めコネクタ結合判定手段に教示された一側コネクタ半体と他側コネクタ半体とが電気的に接続されている状態での離脱防止用爪が正常に係合する際の振動データと不良係合時の振動データに対して新規に取込む振動データを比較検査するので離脱防止用爪が正常に結合されたか否かを容易に判定できる。【００１０】  請求項２においては、センサ保持具が柔軟性を有し前記離脱防止用爪の係合時の振動を伝播可能な材料から成り、一側が前記コネクタを掴む指面に支持され他端が手首又は掌と対向する手指の甲側に支持されて前記コネクタを掴む指面に対向しない部位に前記センサが取付けられるようにしたので、コネクタの接続作業を阻害することなくコネクタの接続状態を検知できる。また、コネクタ結合作業と他の作業が混在する場合でも、指先側に振動センサが存しないので他の作業時の作業性を阻害しないという効果がある。【００１１】  請求項３においては、一側コネクタ半体に形成される離脱防止用爪の他側コネクタ半体との摺接面又は／及び他側コネクタ半体の離脱防止用爪が摺接する面に凹凸部を形成させたので一側コネクタ半体と他側コネクタ半体とを接続する際に発する振動を通電コネクタ毎に固有の振動発生パターンを付与できる。また、この振動パターンから通電コネクタをを特定できるので通電コネクタ毎の正常判定を取得できる。
【発明を実施するための最良の形態】
【００１２】
【実施例１】
【００１３】  図１、２を用いて本発明の請求項２に係るコネクタ結合検知装置について説明する。
１は手袋２の手のひら側要所に貼付される一枚の樹脂フィルムにアルミニウム製フィルム（厚さ０．０５ｍｍ）が貼付されたセンサ保持具。詳述すると、センサ保持具１は、例えば、図６に示す通電用コネクタ２０の要部断面図において離脱防止用爪２２を有する一側コネクタ半体２１と前記離脱防止用爪２２が係合される係合部２６が形成された他側コネクタ半体２５とを結合させる際にどちらかのコネクタ半体２１又は２５を掴む指部（親指、人差指、中指）の手袋表面から手首のほうに延出されてコネクタ接続作業の邪魔にならない部位である手袋の手首部に巻着されている。【００１４】  本実施例では、離脱防止用爪が係合部に係合される際に発する振動を振動センサに伝播させるためにアルミニウム製フィルムを利用したがこれに限るものではない。金属は一般的に振動伝播速度が大きいので金属性フィルムが好ましいが、金属の約半分の振動伝播速度を有するプラスチック製フィルムでも良い。
また、金属繊維を編みこんだ手袋でも振動を伝播するので利用できる。
また、柔軟性合成樹脂に金属繊維または金属粉を混入して振動伝播性を高めた柔軟性材料でも良いことは言うまでもない。【００１５】  ３は一対の基端部（図の左端側）を拡縮することにより対向する一対のアーム先端部（図の右端側）が縮拡されアーム３２先端部の上面（図４）に振動センサ４が着脱自在に取付けられるバネ式クリップ。図４、５を用いて詳述すると、一対のアーム３１、３２がバネ体３３を介して一体的に結合されている。バネ体３３はアーム３１、３２の先端部を閉じるよう付勢されている。アーム３２の先端部には弾性を有する一対の把持部材３４ａ，３４ａが立設され該把持部材３４ａ，３４ａで形成される中空部３４に振動センサ４として公知の加速度センサが着脱可能に挟持されている。
このように、バネ式クリップに振動センサを取付けたのでセンサ保持具付手袋を更新しても容易にセンサ保持具と振動センサとを接続できる。また、振動センサはバネ式クリップに着脱自在に取付けられているので振動センサが故障しても容易に正常な振動センサに交換できる。【００１６】  本実施例では、バネ式クリップに振動センサを取付けて振動センサをセンサ保持具に着脱自在に接続可能としたがこれに限るものではない。振動センサの振動収集面とセンサ保持具とを接着材を介して直接接着しても良いし、振動センサの振動収集面側に磁石を取付けて磁着可能な金属フィルム製センサ保持具に振動センサを磁着させても良い。要するに、センサ保持具を通ってきた振動が必要以上に減衰されて振動センサに届くということがなければ振動センサとセンサ保持具とを接続させる構成であれば良い。また、振動センサの振動収集面とセンサ保持具とを固着させても良い事は言うまでもない。【００１７】  ５は、振動センサから出力される信号を電圧信号に変換し該電圧をＡ／Ｄ変換器の定格入力電圧まで増幅する増幅器であり、５Ｈｚ以上の振動数成分を通過させるハイパスフィルタと２０ｋＨｚ以下の振動数成分を通過させるローパスフィルタが内蔵されている。
なお、ハイパスフィルタとローパスフィルタで通過させる周波数は離脱防止用爪が係合する際に発する振動の周波数帯に対して適宜選択すればよい。【００１８】  ６は増幅器５からのアナログ信号をデジタル信号に変換するＡ／Ｄ変換器。７はＡ／Ｄ変換器６からの信号を演算処理（高速フーリエ変換含む）及びデータの入出力処理を実行する中央演算装置であり、予め教示された離脱防止用爪が正常に係合する際の振動データと不良係合時の振動データに対して新規に取込む振動データを比較検査する。
８は中央演算装置７の出力により判定結果を表示する表示器であり、本例ではコネクタ結合判定手段はメモリを備えた中央演算装置７と表示装置８とで構成される。
９は中央演算装置７から延出される電線の先端に接続され、人差し指部又は親指部に貼付されて一定押圧力以上で反応する感圧スイッチであり、検査開始指示をするスイッチ。
なお、振動センサ４と増幅器５とを結ぶ電線及び感圧スイッチ９と中央演算装置７とを結ぶ電線はこれら電線に取付けられて軸方向に進退自在とされる複数のケーブル支持具を介して手袋や作業服の要所に取付けられて作業の邪魔にならないよう支持されている。【００１９】  また、図６に通電用コネクタ２０の一例を示す。通電用コネクタ２０は、離脱防止用爪２２を持つ一側コネクタ半体２１と該コネクタ半体２１に着脱自在に接続され前記離脱防止用爪２２が係合される係合部２６を持つ他側コネクタ半体２５とで構成される。
なお、２３は一側コネクタ半体２１に備えられた雌側接触子。２４は雌側接触子２３と一体的に結合される電線。２７は他側コネクタ半体２５に備えられた雄側接触子。２８は雄側接触子２７と一体的に結合される電線である。【００２０】  前記一側コネクタ半体２１と他側コネクタ半体２５とを接続する際、他側コネクタ半体２５に一側コネクタ半体２１を挿入すると、まず、雄側接触子２７が雌側接触子２３の中空部に進入して接続され電線２４と電線２８とが導通される。さらに挿入すると、他側コネクタ半体２５の開口部縁端と離脱防止用爪２２に対向して形成される斜面２２ｂとの摺接作用により離脱防止用爪２２が凸設される弾性アーム部２２ａが弾性変形して雌側接触子２３側に撓む。【００２１】  さらに、挿入していくと離脱防止用爪２２が備えられた凸部が係合部２６を形成する孔２６ａに対向され弾性アーム部２２ａの弾発力により離脱防止用爪２２が備えられた凸部が孔２６ａに進入する。この際、離脱防止用爪２２に隣接される弾性アーム部凹部２２ｃと他側コネクタ半体２５の内面とが衝突し振動が生じる。なお、離脱防止用爪２２とされる凸部が係合部２６を形成する孔２６ａに進入すると雄側接触子２７と雌側接触子２３が接続された状態で一側コネクタ半体２１と他側コネクタ半体２５とは離脱できない関係とされている。【００２２】  以上の構成においてその作用を説明する。
前記手袋２を左右どちらかの手に被せる。次いで、振動センサ４が取付けられたバネ式クリップ３のアーム先端部でコネクタ接続作業の邪魔にならない部位である手首側縁部を挟持させる。これにより、振動センサ４の振動収集面がセンサ保持具１のアルミニウム製フィルムに密着される。【００２３】  例えば、右手に一側コネクタ半体２１を持ち、左手に他側コネクタ半体２５を持って他側コネクタ半体２５に一側コネクタ半体２１を挿入する。この際、前記センサ保持具１のアルミニウム製フィルムがいずれかのコネクタに当接されると共に挿入抵抗に勝る把持力でコネクタを掴むので感圧スイッチ９が作用して振動検査開始信号が入り振動検査が開始される。【００２４】  他側コネクタ半体２５に一側コネクタ半体２１をさらに挿入していくと、ついには離脱防止用爪２２が係合部２６に係合され、前述した振動が生じる。この振動はアルミニウム製フィルムを伝って振動センサ４によって捕捉されＡ／Ｄ変換器を介して中央演算装置７に送られる。
所定数の通電用コネクタの結合作業が終わると図示しない振動検査終了スイッチを押して振動収集作業を終える。
本実施例では、振動収集開始信号は指部に取付けた感圧スイッチ９で行ったがこれに限るものではない。例えば、コネクタ結合作業台等に取付けたスイッチを入れると振動収集が開始されるようにしてもよい。【００２５】  中央演算装置７では図７や図８に示すような振幅（電圧）−時間グラフが隣接する表示装置８に出力可能であり、同グラフ中に示されコネクタ接続時に発する振動Ａが検知されるとコネクタの接続が正常に行われたと判定させる。
例えば、一人の作業者が自工程内で５個の通電用コネクタを接続させる場合は前記振動Ａが５個検知されれば通電用コネクタの接続は正常に行われたと判定する。しかし、５個未満であれば離脱防止用爪２２が係合孔２６ａに進入していない（通電状態にあるが振動や外部力の作用により将来コネクタ半体２１とコネクタ半体２５とが離脱する可能性が高い）ことを示すので「不良」信号を出力させる。なお、同グラフ中の振動Ｂや振動Ｃは同一作業者が行うコネクタ接続とは異なる作業時の振動波形であるので判定対象としない。
このように、コネクタの結合作業時に発する振動は瞬間的（電圧レベルが高くその時間が短い信号）なので他の作業と容易に区別できる。【００２６】  また、図８に示すような振幅（電圧）−時間グラフにおいて、振動Ｄと振動Ｅとの間に差異はないように見えるが、このデータを高速フーリエ変換（ＦＦＴ）して図９や図１０に示すようなレベル−周波数グラフを出力すると差異が明確になる。図９は振動ＤのＦＦＴデータであり、周波数約３７００Ｈｚをピークとする卓越周波数帯が存在する。図１０は振動ＥのＦＦＴデータであり、３０００Ｈｚと５０００Ｈｚをピークとする二つの卓越周波数帯が存在する。これは、通電用コネクタの形状違いによって生じるものであり通電用コネクタ固有の周波数帯である。
このことから、振動発生源の通電用コネクタを特定できることが分かる。そこで、振幅（電圧）−時間グラフとレベル−周波数グラフに出力する両データを判定するよう中央演算装置７に教示しておくと複数個存在する通電用コネクタの結合順を決めなくても離脱防止用爪の係合状態の判定に「良・否」が混在しても結合不良の通電用コネクタを特定できる。【００２７】  しかし、類似の通電用コネクタだと周波数帯の差異が明確でないので通電用コネクタの特定が難しい。そこで、請求項３に係る発明で図１１、図１２に示すように、離脱防止用爪と該離脱防止用爪が係合される係合部を持つ他側コネクタ半体との摺接面に凹凸面を形成させると特定可能になる。図１１では、実施例１に使用された一側コネクタ半体２１に形成された弾性アーム部２２ａの上面に凸設され離脱防止用爪２２が形成される凸部の摺接面としての上面２２ｄに踏み面２９ａが形成される階段状凸部２９が凸設されている。【００２８】  以上の構成においてその作用を説明すると、離脱防止用爪２２が係合部２６に係合する過程において、弾性アーム部２２ａの弾発力により踏み面２９ａ、上面２２ｄ、弾性アーム部凹部２２ｃが順次他側コネクタ半体２５の内面に衝突して振動Ａのような瞬間的に振幅の高い振動を３回発生させる。なお、踏み面２９ａの数を適宜変えたり踏み面２９ａや上面２２ｄの長さを適宜変えると振動発生回数や振動間隔を変える事ができる。このようにすることで、通電用コネクタ固有の振動パターンを付与できる。【００２９】  図１２では、離脱防止用爪１２２が形成される凸部が該離脱防止用爪１２２が係合される係合部を持つ他側コネクタ半体２５の外面を摺接して離脱防止用爪１２２が係合部に係合する構成例を示し、他側コネクタ半体２５の外面に台形状凸部１２５が凸設される一方、弾性アーム部１２２ａの先端部下面に凸設され離脱防止用爪１２２が形成される凸部下面１２２ｂに台形状凸部１２１が凸設されている。【００３０】  以上の構成においてその作用を説明すると、離脱防止用爪１２２が係合部２６に係合する過程において、弾性アーム部１２２ａの弾発力により台形状凸部下面１２１ａが台形状凸部１２５の上面１２５ａを越えると面１２２ｂが面１２５ａに衝突、続いて、面１２２ｂが面１２５ａを越えると面１２１ａが面２５ａに衝突、続いて、面１２１ａが面２５ａを越えると面１２２ｂが面２５ａに衝突、さらに続いて、面１２２ｂが面２５ａを越えると弾性アーム部１２２ａの内面が面１２５ａに衝突して振動Ａのような瞬間的に振幅の高い振動を４回発生させる。
本例でも前記実施例同様、弾性アーム１２２ａ側に設けられる凸部や離脱防止用爪が係合される係合部を持つ他側コネクタ半体の外面に設けられる凸部の数やその間隔を適宜変えることで振動発生回数や振動間隔を変える事ができるので、通電用コネクタ固有の振動パターンを付与できる。【００３１】  このように、離脱防止用爪が正常に係合された通電用コネクタを特定できると通電用コネクタ毎の正常記録が保存可能となるので製造品質履歴を保存可能となり大変好ましい。【００３２】  このほかに、中央演算装置７ではＡ／Ｄ変換器から受信した振動テータを各種フィルタにかけたり高速フーリエ変換、周波数成分解析、所望の周波数帯の面積計算等所望の演算処理を行い隣接する表示装置８に処理結果を指示することができる。【００３３】
【実施例２】
【００３４】  図３を用いて本発明に係るコネクタ結合検知装置の第２実施例について説明する。
なお、第１実施例を示す図１、図２で用いた部位と同等の部位は同一の符号で示し説明を省略する。
本第２実施例の特徴とするところは、振動センサ４が得た振動データを無線で中央演算装置７に送る点である。これにより、コネクタの結合作業性が格段に向上する効果がある。【００３５】  図３において、振動センサ４と送信側通信モジュール１０がアンプを介して接続される一方、受信側通信モジュール１１がアンプ、Ａ／Ｄ変換器を介して中央演算装置７と接続され、振動センサ４が収集した振動データは送信側通信モジュール１０から無線通信により受信側通信モジュール１１に送信される。【００３６】  上記第２実施例の作用を説明すると、受信側通信モジュール１１が受信した振動データはアンプ、Ａ／Ｄ変換器を介して中央演算装置７に供給され、第一実施例同様の演算処理をされてコネクタの結合状態の判定結果を表示装置８に出力する。【００３７】  図１３を用いて本発明の請求項１に係る実施例について説明する。
その特徴とするところは、手袋の指の所要位置（親指又は人差し指）にセンサ保持具としての粘着剤を介して振動センサを着脱可能に支持させ、電線は手袋表面甲側の所定位置にケーブル支持具を介して支持させた点にある。これにより、コネクタ結合時の振動を振動センサが直接収集できる効果がある。【００３８】  図１４−（イ）は請求項２に係るセンサ保持具を示し、その特徴とするところは、柔軟性があり離脱防止用爪の係合時の振動を振動センサに伝播できる材料からなる箔材６０がセンサ保持具とされ、一側端部に振動センサ４１を取付ける一方、振動センサが取付けられた面と対向する面に粘着剤又は鉤状凸部が立設される面上テープ等の結合手段７０が取付けられて素手又は手袋に着脱自在に取付け可能とされる点にある。図１４−（ロ）はこのセンサ保持具６０を手袋に配設した平面図を示すもので、先端を親指内側に貼付する一方、振動センサ４１が取付けられた他端は手の甲側に貼付したものである。これにより、コネクタ結合作業を振動センサが邪魔しないので作業性が向上する効果がある。【００３９】  図１５は請求項２に係るセンサ保持具を示し、その特徴とするところは、離脱防止用爪の係合時の振動を振動センサに伝播できる材料からなる筒状体がセンサ保持具６１とされ、筒状体の表面に振動センサ４２が取付けられる一方、筒状体の一側端部又は／及び両端部から紐又は鉤状凸部が立設される面上テープ等の結合手段７１が延出されて素手又は手袋で覆われた手指に着脱可能に取付け可能な点にある。これにより、振動センサ４２が指の爪側に配置されるように指に嵌めコネクタ半体を掴んだときコネクタ半体にセンサ保持具６１が当接するよう配設できるのでコネクタ結合作業を振動センサが邪魔しないので作業性が向上する効果がある。また、結合手段７１によりセンサ保持具を手指の所望の位置に取付けることができる効果がある。
【図面の簡単な説明】
【００４０】
【図１】  本発明の第一実施例を示す回路構成図である。
【００４１】
【図２】  センサ保持具を手袋要所に貼付した斜視図。
【００４２】
【図３】  本発明の第二実施例を示す回路構成図である。
【００４３】
【図４】  振動センサ保持用クリップの側面図。
【００４４】
【図５】  図４のＡ−Ａ断面視図。
【００４５】
【図６】  一例の通電用コネクタの要部断面図。
【００４６】
【図７】  振動センサが取得した振動の波形図。
【００４７】
【図８】  振動センサが取得した他の振動の波形図
【００４８】
【図９】  振動センサが取得した振動のＦＦＴ図
【００４９】
【図１０】  振動センサが取得した他の振動のＦＦＴ図
【００５０】
【図１１】  一側コネクタ半体の他の実施例を示す要部断面図
【００５１】
【図１２】  通電用コネクタの他の実施例を示す要部断面図
【００５２】
【図１３】  振動センサを手袋に貼付した斜視図
【００５３】
【図１４】  センサ保持具の他の実施例を示す平面図
【００５４】
【図１５】  センサ保持具のさらに他の実施例を示す要部断面図
【符号の説明】
【００５５】１、６０、６１…センサ保持具                          ２…手袋
３…クリップ            ４、４０、４１、７１…振動センサ
５…アンプ                                ６…Ａ／Ｄ変換器
７…中央演算装置                          ８…表示装置
９…スイッチ                            １０…送信側通信モジュール
１１…受信側通信モジュール                ２０…コネクタ
２１…一側コネクタ半体            ２２、１２２…離脱防止用爪
２３…雌側接触子                          ２４…電線
２５…他側コネクタ半体                    ２６…係合部
２７…雄側接触子                          ２８…電線
３１、３２…アーム                              ３３…バネ体
３４…中空部                            ３４ａ…把持部材
５０…ケーブル支持具                ７０、７１…結合手段
【図１】
2010199047.tif 000003
【図２】
2010199047.tif 000004
【図３】
2010199047.tif 000005
【図４】
2010199047.tif 000006
【図５】
2010199047.tif 000007
【図６】
2010199047.tif 000008
【図７】
2010199047.tif 000009
【図８】
2010199047.tif 000010
【図９】
2010199047.tif 000011
【図１０】
2010199047.tif 000012
【図１１】
2010199047.tif 000013
【図１２】
2010199047.tif 000014
【図１３】
2010199047.tif 000015
【図１４】
2010199047.tif 000016
【図１５】
2010199047.tif 000017